(57)【要約】  蓄電モジュール（１）は、複数の蓄電デバイス（１００）と、複数の蓄電デバイス（１００）が並べられた状態で収容されるケース（１０）とを備え、所定の設置部に取り付けられる。複数の蓄電デバイス（１００）のそれぞれは、その端面から突き出る正極リード端子（１３０）および負極リード端子（１４０）を有する。ケース（１０）は、複数の蓄電デバイス（１００）が収容される本体部（７１０）と、蓄電モジュール（１）を設置部に取り付けるための固定部（７２０）と、を含む。固定部（７２０）は、本体部（７１０）における正極リード端子（１３０）および負極リード端子（１４０）が突き出る方向の両側面のそれぞれに設けられる。
2020121872.tif 000002
【特許請求の範囲】
【請求項１】
複数の蓄電デバイスと、当該複数の蓄電デバイスが並べられた状態で収容されるケースとを備え、所定の設置部に取り付けられる蓄電モジュールにおいて、
前記複数の蓄電デバイスのそれぞれは、第１端面と前記第１端面と背向する第２端面とを有し、かつ前記第１端面から突き出る端子部を有し、
前記ケースは、
前記複数の蓄電デバイスが収容される本体部と、
前記蓄電モジュールを前記設置部に取り付けるための固定部と、を含み、
前記固定部は、前記本体部における前記端子部が突き出る方向の両側面のそれぞれに設けられる、
ことを特徴とする蓄電モジュール。
【請求項２】
請求項１に記載の蓄電モジュールにおいて、
前記本体部における前記端子部が突き出る方向は、前記第１端面と前記第２端面とを結ぶ方向と同じ方向である、
ことを特徴とする蓄電モジュール。
【請求項３】
請求項１または２に記載の蓄電モジュールにおいて、
前記端子部は、リード端子を含む、
ことを特徴とする蓄電モジュール。
【請求項４】
請求項１ないし３の何れか一項に記載の蓄電モジュールにおいて、
前記固定部は、前記本体部と一体形成される、
ことを特徴とする蓄電モジュール。
【請求項５】
請求項１ないし４の何れか一項に記載の蓄電モジュールにおいて、
前記複数の前記蓄電デバイスは、前記ケース内において、前記端子部が突き出る方向と直交する方向に並べられ、
前記固定部は、前記蓄電モジュールを前記設置部に取り付けて固定するための取付部を有し、
前記取付部は、前記複数の蓄電デバイスが並ぶ方向において、前記複数の蓄電デバイスの並びの中心に位置する、
ことを特徴とする蓄電モジュール。
【請求項６】
請求項１ないし５の何れか一項に記載の蓄電モジュールにおいて、
前記複数の前記蓄電デバイスは、前記ケース内において、前記端子部が突き出る方向と直交する方向に並べられ、
前記複数の蓄電デバイスが並ぶ方向において、前記固定部が存在する範囲は、前記複数の蓄電デバイスが存在する範囲以上とされる、
ことを特徴とする蓄電モジュール。
【請求項７】
請求項１ないし６の何れか一項に記載の蓄電モジュールにおいて、
前記固定部は、前記本体部に近づくに従って幅が大きくなる三角形状を有する、
ことを特徴とする蓄電モジュール。
【請求項８】
複数の蓄電デバイスと、
前記複数の蓄電デバイスが並べられた状態で収容されるケースと、
前記ケース内に収容され、前記複数の蓄電デバイスのそれぞれの端面から突き出る端子部が接続されるバスバーと、を備え、
前記ケースは、底面部と、当該底面部と対向し、前記複数の蓄電デバイスが前記ケース内に収容される際に通される開口部と、を有し、
前記底面部には、当該底面部を貫通する貫通孔が、当該貫通孔を通して前記端子部と前記バスバーとの接続部分が前記ケースの外部から見える位置に設けられる、
ことを特徴とする蓄電モジュール。
【請求項９】
請求項８に記載の蓄電モジュールにおいて、
前記バスバーは、前記底面部に配置され、前記底面部に対向する第１の面と、当該第１の面に背向する第２の面とを有し、
前記バスバーの前記第２の面と前記端子部とが重なる部分が前記接続部分を構成し、
前記接続部分が溶接される、
ことを特徴とする蓄電モジュール。
【請求項１０】
請求項８または９に記載の蓄電モジュールにおいて、
前記ケースは、前記開口部を塞ぐ第１閉塞部と、前記貫通孔を塞ぐ第２閉塞部とを含む、
ことを特徴とする蓄電モジュール。
【請求項１１】
請求項１０に記載の蓄電モジュールにおいて、
前記第１閉塞部は、前記開口部を囲む縁部に装着される第１蓋を含み、
前記第１蓋と前記縁部との間が第１封止部により封止され、
前記第２閉塞部は、前記貫通孔を囲むように前記底面部の外面に設けられた壁部と、当該壁部の先端部に装着される第２蓋とを含み、
前記第２蓋と前記壁部の先端部との間が第２封止部により封止される、
ことを特徴とする蓄電モジュール。
【請求項１２】
請求項１０に記載の蓄電モジュールにおいて、
前記第１閉塞部は、前記開口部を囲む縁部に装着される第１蓋を含み、
前記第１蓋部と前記縁部との間が第１封止部により封止され、
前記第２閉塞部は、前記底面部の外面に装着される第２蓋を含み、
前記第２蓋と前記底面部の外面との間が第２封止部により封止される、
ことを特徴とする蓄電モジュール。
【請求項１３】
請求項８ないし１２の何れか一項に記載の蓄電モジュールにおいて、
前記バスバーは、前記端子部が突き出る方向に沿って前記端子部側に延伸する延伸部を有し、
前記延伸部と前記端子部とが重なり合って前記接続部分が構成される、
ことを特徴とする蓄電モジュール。
【請求項１４】
請求項８ないし１３の何れか一項に記載の蓄電モジュールにおいて、
前記端子部は、極性が異なる第１端子部および第２端子部を含み、
前記バスバーは、隣り合う前記蓄電デバイスの前記第１端子部および前記第２端子部同士を電気的に接続する、
ことを特徴とする蓄電モジュール。
【請求項１５】
請求項８ないし１４の何れか一項に記載の蓄電モジュールにおいて、
前記バスバーを介して前記複数の蓄電デバイスと電気的に接続される回路基板を、さらに備え、
前記回路基板は、前記底面部と前記開口部との並び方向に前記バスバーと重なるように前記ケース内に配置される、
ことを特徴とする蓄電モジュール。
【請求項１６】
請求項１５に記載の蓄電モジュールにおいて、
前記バスバーは、前記並び方向に突出する突出部を有し、
前記回路基板は、前記突出部が挿入される孔部を有し、
前記突出部は、前記孔部に挿入されて電気的に接続され且つ前記回路基板に固定されている、
ことを特徴とする蓄電モジュール。
【請求項１７】
底面部と、当該底面部に対向する開口部とを有するケースの内部に、前記開口部を通じて複数の蓄電デバイスとバスバーとを収容し、前記複数の蓄電デバイスのそれぞれの端面から突き出る端子部と前記バスバーとを合わせる工程と、
前記開口部から通された第１溶接部材と前記底面部を貫通する貫通孔からを通された第２溶接部材とを、前記端子部と前記バスバーとが合わせられることにより構成された接続部分を挟んで対向させ、前記第１溶接部材と前記第２溶接部材とを用いて前記接続部分を溶接する工程と、
を含むことを特徴とする蓄電モジュールの製造方法。
【請求項１８】
請求項１７に記載の蓄電モジュールの製造方法において、
前記端子部と前記バスバーとを合わせる工程では、
前記バスバーが、前記ケース内に収容されて前記底面部に配置され、
前記複数の蓄電デバイスが前記ケース内に収容されて、前記端子部が前記バスバーに重ね合される、
ことを特徴とする蓄電モジュールの製造方法。
【請求項１９】
請求項１７または１８に記載の蓄電モジュールの製造方法において、
前記接続部分が溶接された後に、第１閉塞部により前記開口部を塞ぎ、第２閉塞部により前記貫通孔を塞ぐ工程を、さらに含む、
ことを特徴とする蓄電モジュールの製造方法。
【請求項２０】
請求項１７ないし１９の何れか一項に記載の蓄電モジュールの製造方法において、
前記接続部分が溶接された後に、前記バスバーを介して前記複数の蓄電デバイスと電気的に接続される回路基板を、前記底面部と前記開口部との並び方向に前記バスバーと重なるように前記ケース内に配置する工程を、さらに含む、
ことを特徴とする蓄電モジュールの製造方法。
【請求項２１】
複数の蓄電デバイスと、
前記複数の蓄電デバイスが、外部から閉鎖された状態で収容されるケースと、
前記ケース内に収容され、前記複数の蓄電デバイスのそれぞれと電気的に接続されるバスバーと、
前記ケースに設けられ、前記ケースの内部と外部とが繋がる連通口と、
前記連通口に挿入され、一端側が前記ケースの内部において前記バスバーに電気的に接続され、他端側が前記ケースの外部に露出して外部端子に接続される外部接続端子と、
前記外部接続端子の外面と前記連通口の内面との間に介在する環状のシール部材と、
を備えることを特徴とする蓄電モジュール。
【請求項２２】
請求項２１に記載の蓄電モジュールにおいて、
前記外部接続端子は、互いに極性が異なる第１外部接続端子および第２外部接続端子を含み、
前記第１外部接続端子が挿入される前記連通口と前記第２外部接続端子が挿入される前記連通口とが、前記ケースの互いに対向する側面部に設けられる、
ことを特徴とする蓄電モジュール。
【請求項２３】
請求項２１または２２に記載の蓄電モジュールにおいて、
前記外部接続端子には、前記一端側に板状の連結端子部が形成され、
前記バスバーと前記連結端子部とが互いの厚み方向に重ね合されて連結部材により連結される、
ことを特徴とする蓄電モジュール。
【請求項２４】
請求項２１ないし２３の何れか一項に記載の蓄電モジュールにおいて、
前記外部接続端子には、前記他端側に、前記ケースの外面と平行な、前記外部端子が接続される接続面が形成され、
前記接続面が前記ケースの外面よりも突出する、
ことを特徴とする蓄電モジュール。
【発明の詳細な説明】
【技術分野】
【０００１】
本発明は、蓄電モジュールおよび蓄電モジュールの製造方法に関する。
【背景技術】
【０００２】
ケースの内部に複数のキャパシタを保持するホルダを有するユニット本体部に、車両等の取付先に取り付けるための一対のブラケットを前後に備える蓄電ユニットが、特許文献１に記載されている。【０００３】
この蓄電ユニットでは、ホルダの上面側に、複数の凹部が左右一列ずつ前後に並んで設けられる。左右の各凹部には、キャパシタが、そのリード端子が左右外側に向かうように収容される。
【先行技術文献】
【特許文献】
【０００４】
【特許文献１】特開２０１８−１４２５７１号公報
【発明の概要】
【発明が解決しようとする課題】
【０００５】
上記蓄電ユニットでは、ケースの前後の側面側はブラケットを介して取付先に固定されるが、ケースの左右の側面側は自由な状態となる。このため、上記蓄電ユニットが取付先に取り付けられた状態において、取付先に振動が生じた場合、ケースには、その左右方向において、振動に合わせた上下の撓みが生じやすい。【０００６】
ケース内部のホルダに保持されたキャパシタは、リード端子が左右方向に向かっているため、ケースが左右方向において上下に撓んだときに、それに合わせてリード端子が上下に撓みやすい。これにより、上記蓄電ユニットでは、リード端子とその接続先、たとえば、回路基板との間で、接続部分の剥離が生じたり、リード端子に破断が生じたりすることが懸念される。【０００７】
なお、キャパシタの端面から延び出す端子部が、リード端子ではなく、リード端子よりも短くて径の大きな形態のものである場合、リード端子のように破断することは生じにくいものの、その接続先との間での接続部分が剥離することが懸念される。【０００８】
したがって、上記蓄電ユニットでは、このような事態を避けるため、ケース全体の剛性を高くする必要があり、ケースの軽薄化を図ることが難しかった。【０００９】
そこで、本発明は、ケースの軽薄化が図られやすい蓄電モジュールを提供することを目的とする。【００１０】
また、本発明は、蓄電デバイスの端子部とバスバーとの溶接を円滑に行え得る蓄電モジュールおよび蓄電モジュールの製造方法を提供することを目的とする。【００１１】
さらに、本発明は、蓄電デバイスが外部から閉鎖した状態でケース内に配置される構成が採られた場合に、ケース内へ水が侵入しにくい蓄電モジュールを提供することを目的とする。
【課題を解決するための手段】
【００１２】
本発明の第１の態様は、複数の蓄電デバイスと、当該複数の蓄電デバイスが並べられた状態で収容されるケースとを備え、所定の設置部に取り付けられる蓄電モジュールに関する。本態様に係る蓄電モジュールは、前記複数の蓄電デバイスのそれぞれが、第１端面と前記第１端面と背向する第２端面とを有し、かつ前記第１端面から突き出る端子部を有し、前記ケースが、前記複数の蓄電デバイスが収容される本体部と、前記蓄電モジュールを前記設置部に取り付けるための固定部と、を含む。前記固定部は、前記本体部における前記端子部が突き出る方向の両側面のそれぞれに設けられる。【００１３】
本発明の第２の態様は、蓄電モジュールに関する。本態様に係る蓄電モジュールは、複数の蓄電デバイスと、前記複数の蓄電デバイスが並べられた状態で収容されるケースと、前記ケース内に収容され、前記複数の蓄電デバイスのそれぞれの端面から突き出る端子部が接続されるバスバーと、を備える。ここで、前記ケースは、底面部と、当該底面部と対向し、前記複数の蓄電デバイスが前記ケース内に収容される際に通される開口部と、を有する。さらに、前記底面部には、当該底面部を貫通する貫通孔が、当該貫通孔を通して前記端子部と前記バスバーとの接続部分が前記ケースの外部から見える位置に設けられる。【００１４】
本発明の第３の態様は、蓄電モジュールの製造方法に関する。本態様に係る製造方法は、底面部と、当該底面部に対向する開口部とを有するケースの内部に、前記開口部を通じて複数の蓄電デバイスとバスバーとを収容し、前記複数の蓄電デバイスのそれぞれの端面から突き出る端子部と前記バスバーとを合わせる工程と、前記開口部から通された第１溶接部材と前記底面部を貫通する貫通孔から通された第２溶接部材とを、前記端子部と前記バスバーとが合わせられることにより構成された接続部分を挟んで対向させ、前記第１溶接部材と前記第２溶接部材とを用いて前記接続部分を溶接する工程と、を含む。【００１５】
本発明の第４の態様は、蓄電モジュールに関する。本態様に係る蓄電モジュールは、複数の蓄電デバイスと、前記複数の蓄電デバイスが、外部から閉鎖された状態で収容されるケースと、前記ケース内に収容され、前記複数の蓄電デバイスのそれぞれと電気的に接続されるバスバーと、前記ケースに設けられ、前記ケースの内部と外部とが繋がる連通口と、前記連通口に挿入され、一端側が前記ケースの内部において前記バスバーに電気的に接続され、他端側が前記ケースの外部に露出して外部端子に接続される外部接続端子と、前記外部接続端子の外面と前記連通口の内面との間に介在する環状のシール部材と、を備える。
【発明の効果】
【００１６】
本発明によれば、ケースの軽薄化が図られやすい蓄電モジュールを提供できる。【００１７】
また、本発明によれば、蓄電デバイスの端子部とバスバーとの溶接を円滑に行え得る蓄電モジュールおよび蓄電モジュールの製造方法を提供できる。【００１８】
さらに、本発明によれば、蓄電デバイスが外部から閉鎖した状態でケース内に配置される構成が採られた場合に、ケース内へ水が侵入しにくい蓄電モジュールを提供できる。【００１９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００２０】
【図１】図１は、実施の形態に係る、蓄電モジュールの斜視図である。
【図２】図２は、実施の形態に係る、裏返された状態の蓄電モジュールの斜視図である。
【図３】図３は、実施の形態に係る、カバーが外された状態の蓄電モジュールの斜視図である。
【図４】図４は、実施の形態に係る、カバーおよび回路基板が外された状態の蓄電モジュールの斜視図である。
【図５】図５（ａ）は、実施の形態に係る、蓄電デバイスの斜視図であり、図５（ｂ）は、実施の形態に係る、回路基板の斜視図である。
【図６】図６は、実施の形態に係る、ケース本体の斜視図である。
【図７】図７（ａ）は、実施の形態に係る、ケース本体の平面図であり、図７（ｂ）は、実施の形態に係る、ケース本体の底面図である。
【図８】図８（ａ）は、実施の形態に係る、カバーの斜視図であり、図８（ｂ）は、実施の形態に係る、裏返された状態のカバーの斜視図である。
【図９】図９（ａ）は、実施の形態に係る、裏面カバーの斜視図であり、図９（ｂ）は、実施の形態に係る、裏返された状態の裏面カバーの斜視図である。
【図１０】図１０（ａ）、（ｂ）および（ｃ）は、それぞれ、実施の形態に係る、第１中継端子、第２中継端子および第３中継端子の斜視図である。
【図１１】図１１は、実施の形態に係る、外部接続端子の斜視図である。
【図１２】図１２は、実施の形態に係る、蓄電モジュールの組み立て手順を示すフローチャートである。
【図１３】図１３は、実施の形態に係る、端子・蓄電デバイス装着工程の後の左側の端子装着部の周辺を示す要部断面図である。
【図１４】図１４（ａ）は、実施の形態に係る、端子・蓄電デバイス装着工程の後の蓄電モジュールの上部の底面図であり、図１４（ｂ）は、図１４（ａ）のＡ−Ａ´断面図である。
【図１５】図１５（ａ）および（ｂ）は、それぞれ、変更例１に係る、裏面カバーが装着される前と装着された後の６つの貫通孔の周辺部分が示された蓄電モジュールの要部の底面図である。
【図１６】図１６（ａ）、（ｂ）および（ｃ）は、その他の変更例に係る、固定部の模式的な平面図である。
【発明を実施するための形態】
【００２１】
以下、本実施の形態に係る蓄電モジュール１について図面を参照して説明する。便宜上、各図には、適宜、前後、左右および上下の方向が付記されている。なお、図示の方向は、あくまで蓄電モジュール１の相対的な方向を示すものであり、絶対的な方向を示すものではない。
【００２２】
本実施の形態において、端面１００ａが、請求の範囲に記載の「第１端面」に対応し、端面１００ｂが、請求の範囲に記載の「第２端面」に対応する。また、正極リード端子１３０が、請求の範囲に記載の「端子部」および「第１端子部」に対応する。さらに、負極リード端子１４０が、請求の範囲に記載の「端子部」および「第２端子部」に対応する。さらに、第１中継端子２００、第２中継端子３００および第３中継端子４００が、請求の範囲に記載の「バスバー」に対応する。さらに、端子接続部２１０、３１０、４１０が、請求の範囲に記載の「延伸部」に対応する。さらに、基板接続部２２０、３２０、４２０が、請求の範囲に記載の「突出部」に対応する。さらに、表面２１０ａ、３１０ａ、４１０ａが、請求の範囲に記載の「第２の面」に対応し、裏面２１０ｂ、３１０ｂ、４１０ｂが、請求の範囲に記載の「第１の面」に対応する。さらに、Ｏリング５１０が、請求の範囲に記載の「シール部材」に対応する。さらに、スルーホール６０１、６０２、６０３が、請求の範囲に記載の「孔部」に対応する。さらに、左側面部７１４および右側面部７１５が、請求の範囲に記載の「側面部」に対応する。さらに、取付孔７２２が、請求の範囲に記載の「取付部」に対応する。さらに、カバー８００が、請求の範囲に記載の「第１閉塞部」および「第１蓋」に対応する。さらに、裏面カバー８５０が、請求の範囲に記載の「第２蓋」に対応する。さらに、壁部７９１と裏面カバー８５０とにより、請求の範囲に記載の「第２閉塞部」が構成される。さらに、ネジ９２０が、請求の範囲に記載の「連結部材」に対応する。さらに、接着剤Ａ２が、請求の範囲に記載の「第１封止部」に対応し、接着剤Ａ３が、請求の範囲に記載の「第２封止部」に対応する。さらに、第１電極プローブＥ１が、請求の範囲に記載の「第１電極部材」に対応し、第２電極プローブＥ２が、請求の範囲に記載の「第２電極部材」に対応する。
【００２３】
ただし、上記記載は、あくまで、請求の範囲の構成と実施形態の構成とを対応付けることを目的とするものであって、上記対応付けによって請求の範囲に記載の発明が実施形態の構成に何ら限定されるものではない。
【００２４】
図１は、蓄電モジュール１の斜視図である。図２は、裏返された状態の蓄電モジュール１の斜視図である。図３は、カバー８００が外された状態の蓄電モジュール１の斜視図である。図４は、カバー８００および回路基板６００が外された状態の蓄電モジュール１の斜視図である。図５（ａ）は、蓄電デバイス１００の斜視図であり、図５（ｂ）は、回路基板６００の斜視図である。図６は、ケース本体７００の斜視図である。図７（ａ）は、ケース本体７００の平面図であり、図７（ｂ）は、ケース本体７００の底面図である。図８（ａ）は、カバー８００の斜視図であり、図８（ｂ）は、裏返された状態のカバー８００の斜視図である。図９（ａ）は、裏面カバー８５０の斜視図であり、図９（ｂ）は、裏返された状態の裏面カバー８５０の斜視図である。図１０（ａ）、（ｂ）および（ｃ）は、それぞれ、第１中継端子２００、第２中継端子３００および第３中継端子４００の斜視図である。図１１は、外部接続端子５００の斜視図である。なお、図１には、便宜上、蓄電モジュール１が取り付けられる設置部２と、取付に用いられるボルト３とが一点鎖線で模式的に描かれている。
【００２５】
蓄電モジュール１は、ケース１０と、ケース１０内に収容される６つの蓄電デバイス１００、第１中継端子２００、第２中継端子３００、５つの第３中継端子４００、２つの外部接続端子５００および回路基板６００と、を備える。ケース１０は、上面が開口するケース本体７００と、ケース本体７００の上面を覆うカバー８００とを含む。また、ケース１０は、裏面カバー８５０を含む。
【００２６】
蓄電デバイス１００は、たとえば、電気二重層キャパシタであり、円筒状（円柱状）を有する。蓄電デバイス１００は、リチウムイオンキャパシタ等、電気二重層キャパシタ以外のキャパシタであってもよい。また、蓄電デバイス１００は、その正極の活物質として導電性高分子が用いられたものであってもよい。導電性高分子としては、ポリアニリン、ポリピロールまたはポリチオフェンおよびこれらの誘導体等が挙げられ、複数種の導電性高分子を用いてもよい。さらに、蓄電デバイス１００は、円筒状でなく、角筒状（角柱状）を有していてもよい。
【００２７】
図５（ａ）に示すように、各蓄電デバイス１００は、図示しないデバイス素子と電解液とが収容された有底円筒状の容器１１０と、ゴム成分を含む弾性材料により形成され、容器１１０の開口を封止する封口体１２０と、封口体１２０から外部に引き出される正極リード端子１３０および負極リード端子１４０と、を含む。正極リード端子１３０はデバイス素子の正極と電気的に接続され、負極リード端子１４０はデバイス素子の負極と電気的に接続される。封口体１２０は蓄電デバイス１００の互いに背向する２つの端面１００ａ、１００ｂのうちの一方の端面１００ａを構成し、この端面１００ａから正極リード端子１３０および負極リード端子１４０が突き出る状態となる。正極リード端子１３０および負極リード端子１４０が突き出る方向は、２つの端面１００ａ、１００ｂを結ぶ方向となる。
【００２８】
ケース本体７００、カバー８００および裏面カバー８５０は、ポリブチレンテレフタレート（ＰＢＴ）、ポリフェニレンサルファイド（ＰＰＳ）などの樹脂材料により形成される。
【００２９】
図６、図７（ａ）および（ｂ）に示すように、ケース本体７００は、６つの蓄電デバイス１００等が収容される本体部７１０と、本体部７１０と一体形成された２つの固定部７２０とを備える。
【００３０】
本体部７１０は、四角形状の底面部７１１と、底面部７１１の四方を囲む、前側面部７１２、後側面部７１３、左側面部７１４および右側面部７１５とを含む。底面部７１１は、前側面部７１２、後側面部７１３、左側面部７１４および右側面部７１５に比べて大幅に厚みが大きくされており、このため、底面部７１１の外底面側には、前後方向に延びる多数のリブ７１１ａと左右方向に延びる多数のリブ７１１ｂとが格子状に配されることによる肉盗み（肉抜き）構造が採られている。このように、底面部７１１の厚みが大きくされることにより、ケース本体７００の剛性が高められる。
【００３１】
本体部７１０には、４つの角部と、各側面部７１２、７１３、７１４、７１５の中央部とに、ボス７１６が形成される。各ボス７１６には、金属製のナット７１７が埋め込まれる。また、前側面部７１２および後側面部７１３のボス７１６には、位置決め用の突起７１８が形成される。本体部７１０は、前側面部７１２、後側面部７１３、左側面部７１４および右側面部７１５の上端面の内側が、一段低くなるようにされ、接着剤（後述する）が塗布される接着代７１９とされている。
【００３２】
本体部７１０は、上面全体が開口部７１０ａとなっており、前側面部７１２、後側面部７１３、左側面部７１４および右側面部７１５の上端面によって、開口部７１０ａを囲む縁部７１０ｂが構成される。開口部７１０ａは底面部７１１と対向する。
【００３３】
本体部７１０の内部には、ほぼ中央の領域に、左右方向に連続する６つの保持部７３０が底面部７１１と一体に設けられる。各保持部７３０は、断面Ｕ字の筒状に形成され、半円弧状の円弧状部７３１と、円弧状部７３１の両端から開口端へと延びる直線状の直線状部７３２とを含む。円弧状部７３１は、底面部７１１の内面よりも下方に凹んでいる。隣り合う保持部７３０同士が直線状部７３２を共有している。保持部７３０の前側の端面には、上側が開放された開口部７３３が設けられる。保持部７３０の後側の端面は、補強のためのＵ字状のリブ７３４を縁部に残して開口する。６つの保持部７３０と後側面部７１３、左側面部７１４および右側面部７１５と間の空間には、多数の補強用のリブ７３５が設けられる。
【００３４】
各保持部７３０の前方には、直線状部７３２から連続するようにリブ７３６が形成される。両外側のリブ７３６を除く５つのリブ７３６は、その前端部が鉤状に形成されて、回路基板６００が載せられる載置部７３７となる。
【００３５】
底面部７１１における７つのリブ７３６の前方には、第１中継端子２００が取り付けられる第１取付部７４０と、第２中継端子３００が取り付けられる第２取付部７５０と、第３中継端子４００が取り付けられる５つの第３取付部７６０が設けられる。第１取付部７４０は、底面部７１１の左端部に設けられ、第２取付部７５０は、底面部７１１の右端部に設けられ、５つの第３取付部７６０は、第１取付部７４０と第２取付部７５０との間に、左右方向に並ぶように設けられる。
【００３６】
底面部７１１には、第１中継端子２００を第１取付部７４０に位置決めするための２つのリブ７４１が設けられ、第２中継端子３００を第２取付部７５０に位置決めするための２つのリブ７５１が設けられる。また、底面部７１１には、５つの第３中継端子４００をそれらに対応する第３取付部７６０に位置決めするためのリブ７６１が設けられる。リブ７６１は、５つの第３中継端子４００の形状に対応する形状を有する。第３取付部７６０のリブ７６１は、左端部分が第１中継端子２００の位置決めにも利用され、右端部分が第２中継端子３００の位置決めにも利用される。
【００３７】
第１取付部７４０には、３か所に金属製のナット７４２が埋め込まれる。第２取付部７５０には、３か所に金属製のナット７５２が埋め込まれる。各第３取付部７６０には、中央部に金属製のナット７６２が埋め込まれる。
【００３８】
左側面部７１４および右側面部７１５には、前端部の内側に、外部接続端子５００が装着される円筒状の端子装着部７７０が設けられる。また、左側面部７１４および右側面部７１５には、端子装着部７７０へと繋がる円形の開口部７７１が形成される。端子装着部７７０の円形の開口と、この開口から連続する開口部７７１とによって、ケース本体７００、即ちケース１０の内部と外部とが繋がる連通口７７０ａが構成される。この連通口７７０ａに、外部接続端子５００が挿入される。
【００３９】
底面部７１１における５つの第３取付部７６０の前方には、回路基板６００が載せられる載置リブ７８０が左右方向に延びるように設けられる。載置リブ７８０は、５つの第３取付部７６０を挟んで５つの載置部７３７と対向し、載置部７３７と等しい高さを有する。載置リブ７８０には、左右２か所にボス７８１が設けられ、各ボス７８１に金属製のナット７８２が埋め込まれる。
【００４０】
右側面部７１５には、本体部７１０の内部と連通する円形の開口部７１５ａが形成される。開口部７１５ａには、調圧弁ＣＶが設けられる。
【００４１】
底面部７１１における６つの保持部７３０と５つの第３取付部７６０との間には、底面部７１１を貫通する６つの貫通孔７９０が左右方向に並ぶように設けられる。貫通孔７９０は、左右方向に長い方形状を有する。貫通孔７９０は、溶接機の第２電極プローブ（後述する）を通すことができる大きさとされる。
【００４２】
図７（ｂ）に示すように、底面部７１１の外面には、６つの貫通孔７９０を囲むように、左右に長い方形枠状の壁部７９１が設けられる。前述の格子状のリブ７１１ａ、７１１ｂは、壁部７９１の内側領域にも設けられているが、内側領域の格子状のリブ７１１ａ、７１１ｂの高さは、壁部７９１の高さよりも低くされている。また、壁部７９１の高さは、壁部７９１の外側領域の格子状のリブ７１１ａ、７１１ｂの高さよりも、裏面カバー８５０の厚みに相当する分だけ低くされている。
【００４３】
壁部７９１には、前壁、後壁、左壁および右壁の中央部にボス７９２が形成される。各ボス７９２には、金属製のナット７９３が埋め込まれる。壁部７９１は、その上端面（先端面）の内側が、一段低くなるようにされ、接着剤（後述する）が塗布される接着代７９４とされている。
【００４４】
本体部７１０において、前側面部７１２に一方の固定部７２０が設けられ、後側面部７１３に他方の固定部７２０が設けられる。前側面部７１２および後側面部７１３は、本体部７１０内に収容された６つの蓄電デバイス１００の正極リード端子１３０および負極リード端子１４０が突き出る方向、即ち、前後方向の両側面である。なお、本体部７１０の左側面部７１４および右側面部７１５には、固定部７２０が設けられない。
【００４５】
固定部７２０は、平面視において、本体部７１０の前側面部７１２（後側面部７１３）から離れるに従って幅が狭くなる、ほぼ三角形状を有する。固定部７２０には、中央部に凹部７２１が形成され、この凹部７２１の底面に上下方向に貫通する取付孔７２２が設けられる。取付孔７２２は、凹部７２１、即ち、固定部７２０の左右方向における中央に位置する。取付孔７２２には、孔の強度を高めるため金属製のカラー７２３が装着される。
【００４６】
固定部７２０は、上下方向の寸法、即ち厚みを大きくするため、上面側と下面側の双方に、それぞれ、格子状に配された多数のリブ７２４、７２５による肉盗み（肉抜き）構造が採られている。固定部７２０上面は、根元部分の厚みよりも先端部分の厚みが僅かに小さくなるよう傾斜面を有する。
【００４７】
固定部７２０は、前側面部７１２と後側面部７１３に１つずつ設けられ、左右方向（蓄電デバイス１００の並び方向）において、その取付孔７２２が、６つの保持部７３０の並び、即ち、６つの蓄電デバイス１００の並びの中心Ｏ（図７（ａ）の一点鎖線参照）に位置する。即ち、取付孔７２２の左右方向における中心が、中心Ｏと一致する。また、固定部７２０における前側面部７１２（後側面部７１３）に接している根元部分の幅Ｗ１は、６つの保持部７３０を合わせた幅Ｗ２よりも僅かに大きくされている。即ち、左右方向において、固定部７２０が存在する範囲が、６つの蓄電デバイス１００が存在する範囲以上とされている。
【００４８】
図８（ａ）および（ｂ）に示すように、カバー８００は、四角形状に形成され、ケース本体７００の本体部７１０とほぼ同じサイズを有する。カバー８００は、その裏面における前縁部８０１、後縁部８０２、左縁部８０３および右縁部８０４が、裏面から僅かに突出する。カバー８００の裏面の４つ角部と、各縁部８０１、８０２、８０３、８０４の中央部には、本体部７１０のボス７１６に対応する形状を有する取付部８０５が設けられる。各取付部８０５には取付孔８０６が形成される。また、前縁部８０１および後縁部８０２の取付部８０５には、本体部７１０の突起７１８に対応する挿入孔８０７が形成される。カバー８００の表面は各取付孔８０６の周辺が凹む。
【００４９】
カバー８００の裏面には、本体部７１０の５つの載置部７３７に対応する位置に、左右方向に並ぶように５つの突起８１０が形成される。５つの突起８１０は、左右方向に延びるリブ８１１により繋げられる。
【００５０】
図９（ａ）および（ｂ）に示すように、裏面カバー８５０は、左右に長い方形状に形成され、本体部７１０の壁部７９１の外形サイズとほぼ同じサイズを有する。裏面カバー８５０は、その裏面における前縁部８５１、後縁部８５２、左縁部８５３および右縁部８５４が、裏面から僅かに突出する。裏面カバー８５０の各縁部８５１、８５２、８５３、８５４の中央部には、壁部７９１のボス７９２に対応する形状を有する取付部８５５が設けられる。各取付部８５５には取付孔８５６が形成される。裏面カバー８５０の表面は各取付孔８５６の周辺が凹む。
【００５１】
第１中継端子２００、第２中継端子３００および５つの第３中継端子４００は、バスバーであり、導電性の金属板、たとえば、銅板を所定形状に切り抜き、折り曲げ等の加工を行うことにより形成される。第１中継端子２００、第２中継端子３００および５つの第３中継端子４００は、６つの蓄電デバイス１００を直列に接続するための端子である。また、第１中継端子２００および第２中継端子３００は、それぞれに対応する外部接続端子５００に連結される。
【００５２】
図１０（ａ）に示すように、第１中継端子２００は、端子接続部２１０と、基板接続部２２０と、第１固定部２３０と、第２固定部２４０と、第３固定部２５０とを含む。端子接続部２１０は、細長い方形状を有し、後方へ延伸する。端子接続部２１０の後端部には、表面から突出する突起部２１１が形成される。基板接続部２２０は、ピン状を有し、端子接続部２１０、第１固定部２３０、第２固定部２４０および第３固定部２５０に対してほぼ垂直に屈曲し、これらの厚み方向に立ち上がる。第１固定部２３０、第２固定部２４０および第３固定部２５０には、それぞれ、第１取付孔２３１、第２取付孔２４１および第３取付孔２５１が形成される。
【００５３】
図１０（ｂ）に示すように、第２中継端子３００は、第１中継端子２００を左右方向に反転させた形状を有し、端子接続部３１０と、基板接続部３２０と、第１固定部３３０と、第２固定部３４０と、第３固定部３５０とを含む。端子接続部３１０は、細長い方形状を有し、後方へ延伸する。端子接続部３１０の後端部には、表面から突出する突起部３１１が形成される。基板接続部３２０は、ピン状を有し、端子接続部３１０、第１固定部３３０、第２固定部３４０および第３固定部３５０に対してほぼ垂直に屈曲し、これらの厚み方向に立ち上がる。第１固定部３３０、第２固定部３４０および第３固定部３５０には、それぞれ、第１取付孔３３１、第２取付孔３４１および第３取付孔３５１が形成される。
【００５４】
図１０（ｃ）に示すように、第３中継端子４００は、左右２つの端子接続部４１０と、基板接続部４２０と、固定部４３０とを含む。各端子接続部４１０は、方形状を有し、後方へ延伸する。各端子接続部４１０の後端部には、表面から突出する突起部４１１が形成される。基板接続部４２０は、ピン状を有し、端子接続部４１０および固定部４３０に対してほぼ垂直に屈曲し、これらの厚み方向に立ち上がる。固定部４３０には、取付孔４３１が形成される。
【００５５】
図１１に示すように、外部接続端子５００は、金属材料により形成され、有底の円筒状を有する端子本体部５０１を含む。端子本体部５０１の内周面には、雌ネジが形成されている。また、外部接続端子５００の一端側である端子本体部５０１の底面部には、取付孔５０２ａを有する平板状の連結端子部５０２が形成される。さらに、端子本体部５０１の外周面には、環状の溝５０３が形成され、この溝５０３にゴム等の弾性材料で形成された円環状を有するＯリング５１０が嵌め込まれている。外部接続端子５００の他端側である端子本体部５０１の開口端部には、外部端子が接続される接続面５０１ａが形成される。
【００５６】
本実施の形態では、左側の外部接続端子５００が正極側の端子となり、右側の外部接続端子５００が負極側の端子となる。２つの外部接続端子５００が極性により区別される場合には、たとえば、左側の外部接続端子５００が第１外部接続端子５００ａとなり、右側の外部接続端子５００が第２外部接続端子５００ｂとなる。
【００５７】
図５（ｂ）に示すように、回路基板６００は、左右方向に長い長方形状を有する。回路基板６００には、左端部と右端部とに、それぞれ、第１スルーホール６０１および第２スルーホール６０２が形成され、第１スルーホール６０１と第２スルーホール６０２との間に、左右方向に並ぶようにして、５つの第３スルーホール６０３が形成される。第１スルーホール６０１、第２スルーホール６０２および第３スルーホール６０３には、内側に金属のメッキがなされる。また、回路基板６００には、各蓄電デバイス１００の電圧を検出する電圧検出回路および電圧検出回路が検出した電圧に応じて各蓄電デバイス１００の電圧を揃えるバランス回路を含む電子回路部（図示せず）が配置される。第１スルーホール６０１、第２スルーホール６０２および第３スルーホール６０３は、導電パターン（図示せず）により電子回路部に繋がる。さらに、回路基板６００には、２つの取付孔６０４が形成される。
【００５８】
次に、蓄電モジュール１の組み立て手順について説明する。
【００５９】
図１２は、蓄電モジュール１の組み立て手順を示すフローチャートである。図１３は、端子・蓄電デバイス装着工程の後の左側の端子装着部７７０の周辺を示す要部断面図である。図１４（ａ）は、端子・蓄電デバイス装着工程の後の蓄電モジュール１の上部の底面図であり、図１４（ｂ）は、図１４（ａ）のＡ−Ａ´断面図である。なお、図１４（ｂ）には、便宜上、第１電極プローブＥ１および第２電極プローブＥ２が一点鎖線により示されている。なお、図１４（ａ）では、便宜上、接着剤Ａ３にハッチングが施されている。
【００６０】
図１２に示すように、蓄電モジュール１は、端子・蓄電デバイス装着工程と、端子溶接工程と、基板装着工程と、カバー装着工程とが行われることにより組み立てられる。
【００６１】
まず、端子・蓄電デバイス装着工程が行われる（Ｓ１）。端子・蓄電デバイス装着工程は、端子装着工程と、この工程に続くデバイス装着工程とにより構成される。
【００６２】
端子装着工程では、まず、図４に示すように、２つの外部接続端子５００がケース本体７００の左右の端子装着部７７０に装着される。即ち、各外部接続端子５００が、外側から連通口７７０ａ内に挿入される。図１３に示すように、連通口７７０ａ内では、外部接続端子５００の外周面と連通口７７０ａの内周面との間にＯリング５１０が介在する。このとき、外部接続端子５００の溝５０３の幅はＯリング５１０の幅よりも広くされているので（図１１参照）、外部接続端子５００が連通口７７０ａに挿入されたときにＯリング５１０が潰れやすく、円滑な挿入が行える。こうして、外部接続端子５００と連通口７７０ａとの間がＯリング５１０により封止される。
【００６３】
端子装着部７７０に装着された状態において、左側の第１外部接続端子５００ａの接続面５０１ａは、左側面部７１４の外面と平行となり、当該外面よりも僅かに張り出す。同様に、右側の第２外部接続端子５００ｂの接続面５０１ａは、右側面部７１５の外面と平行となり、当該外面よりも僅かに張り出す。
【００６４】
また、図４に示すように、第１中継端子２００、第２中継端子３００および５つの第３中継端子４００が、それぞれ、開口部７１０ａを通じてケース本体７００内に収容され、第１取付部７４０、第２取付部７５０および５つの第３取付部７６０に取り付けられる。これにより、７つの中継端子２００、３００、４００がケース本体７００の底面部７１１に配置される。
【００６５】
この際、第１中継端子２００は、第１取付部７４０の２つのリブ７４１と第３取付部７６０のリブ７６１の左端部分とにより位置決めされ、第１取付孔２３１および第３取付孔２５１が、それぞれに対応する第１取付部７４０のナット７４２のネジ孔と整合する。第１取付孔２３１を通されたネジ９１０がナット７４２に止められ、第３取付孔２５１を通されたネジ９１０がナット７４２に止められる。
【００６６】
また、図１３に示すように、第１中継端子２００の第２固定部２４０は、左側の第１外部接続端子５００ａの連結端子部５０２の上に重なる。即ち、第１中継端子２００と連結端子部５０２とがそれらの厚み方向に重ねられる。第２取付孔２４１が、それに対応する第１取付部７４０のナット７４２のネジ孔と連結端子部５０２の取付孔５０２ａとに整合する。第２取付孔２４１と第１外部接続端子５００ａの取付孔５０２ａとを通されたネジ９２０がナット７４２に止められる。こうして、第１中継端子２００が、第１取付部７４０に固定されるとともに第１外部接続端子５００ａに連結される。
【００６７】
第１外部接続端子５００ａは、主要部分である端子本体部５０１が円筒状であるが、平板状の連結端子部５０２を有し、その連結端子部５０２が同じく平板状である第１中継端子２００に連結されるように構成されている。これにより、第１外部接続端子５００ａを第１中継端子２００に良好に連結することができる。この点は、第２外部接続端子５００ｂと第２中継端子３００との連結においても同様である。
【００６８】
同様に、第２中継端子３００は、第２取付部７５０の２つのリブ７５１と第３取付部７６０のリブ７６１の右端部分とにより位置決めされ、第１取付孔３３１および第３取付孔３５１が、それぞれに対応する第２取付部７５０のナット７５２のネジ孔と整合する。第１取付孔３３１を通されたネジ９１０がナット７５２に止められ、第３取付孔３５１を通されたネジ９１０がナット７５２に止められる。
【００６９】
また、第２中継端子３００の第２固定部３４０は、右側の第２外部接続端子５００ｂの連結端子部５０２の上に重なり、第２取付孔３４１が、それに対応する第２取付部７５０のナット７５２のネジ孔と連結端子部５０２の取付孔５０２ａとに整合する。第２取付孔３４１と第２外部接続端子５００ｂの取付孔５０２ａとを通されたネジ９２０がナット７５２に止められる。こうして、第２中継端子３００が、第２取付部７５０に固定されるとともに第２外部接続端子５００ｂに連結される。
【００７０】
第３中継端子４００は、第３取付部７６０のリブ７６１により位置決めされ、取付孔４３１が第３取付部７６０のナット７６２のネジ孔と整合する。取付孔４３１を通されたネジ９１０がナット７６２に止められる。こうして、第３中継端子４００が第３取付部７６０に固定される。
【００７１】
次に、デバイス装着工程では、図４に示すように、６つの蓄電デバイス１００が、開口部７１０ａを通じてケース本体７００内に収容され、６つの保持部７３０に上方から装着される。保持部７３０内には、蓄電デバイス１００のほぼ全体が収納される。各保持部７３０の前端部の２か所と、中央部と、後端部の２か所において、蓄電デバイス１００の周面とその両側の保持部７３０の直線状部７３２との間に接着剤Ａ１が塗布される。接着剤Ａ１は、常温において、蓄電デバイス１００の周面および直線状部７３２と接着した状態で硬化する。これにより、蓄電デバイス１００の周面とその両側の直線状部７３２とが接着剤Ａ１で連結され、蓄電デバイス１００が保持部７３０に固定されるとともに、剛性の高い蓄電デバイス１００を利用した保持部７３０の開口端側の補強が行われる。
【００７２】
各蓄電デバイス１００の正極リード端子１３０および負極リード端子１４０が、開口部７３３を通じて前方に延び出し、それらの先端部が、それぞれに対応する第１中継端子２００、第２中継端子３００および第３中継端子４００の端子接続部２１０、３１０、４１０の表面２１０ａ、３１０ａ、４１０ａに上方から重なり、突起部２１１、３１１、４１１に上方から近接または接触する。蓄電デバイス１００のリード端子１３０、１４０と中継端子２００、３００、４００端子とが重なり合う部分により、接続部分Ｃが構成される。なお、端子接続部２１０、３１０、４１０の裏面２１０ｂ、３１０ｂ、４１０ｂが底面部７１１に対向し、裏面２１０ｂ、３１０ｂ、４１０ｂに表面２１０ａ、３１０ａ、４１０ａが背向する。図１４（ａ）に示すように、ケース本体７００の底面部７１１の各貫通孔９７０は、２つの接続部分Ｃの真下の位置し、貫通孔９７０を通じて底面部７１１の外面側、即ちケース１０の外部から２つの接続部分Ｃを見ることができる。
【００７３】
ケース本体７００内に、６つの蓄電デバイス１００、第１中継端子２００、第２中継端子３００、５つの第３中継端子４００および２つの外部接続端子５００が装着されると、端子・デバイス装着工程が完了する。
【００７４】
次に、端子溶接工程が行われる（Ｓ２）。端子溶接工程では、溶接機（図示せず）を用いてプロジェクション溶接が行われる。溶接機には、極性の異なる第１電極プローブＥ１と第２電極プローブＥ２とが備えられる。図１４（ｂ）に示すように、第１電極プローブＥ１がケース本体７００の開口部７１０ａから通されて上方からリード端子１３０、１４０に当接する。また、第２電極プローブＥ２が貫通孔９７０から通されて下方から中継端子２００、３００、４００の端子接続部２１０、３１０、４１０に当接する。第１電極プローブＥ１と第２電極プローブＥ２とが接続部分Ｃを挟んで対向する。リード端子１３０、１４０と端子接続部２１０、３１０、４１０の突起部２１１、３１１、４１１とが、第１電極プローブＥ１と第２電極プローブＥ２とに押されて接触し、加圧される。この状態で、第１電極プローブＥ１と第２電極プローブＥ２とに通電される。突起部２１１、３１１、４１１に大電流が集中して突起部２１１、３１１、４１１が溶け、接続部分Ｃが溶接される。これにより、正極リード端子１３０および負極リード端子１４０が、対応する中継端子２００、３００、４００の端子接続部２１０、３１０、４１０に接続固定される。
【００７５】
なお、図１４（ｂ）では、左から４つ目の蓄電デバイス１００の正極リード端子１３０と第３中継端子４００との接続部分Ｃが示されている。
【００７６】
こうして、隣り合う蓄電デバイス１００の正極リード端子１３０および負極リード端子１４０同士が中継端子２００、３００、４００により電気的に接続される。
【００７７】
次に、基板装着工程が行われる（Ｓ３）。図３示すように、回路基板６００が、ケース本体７００内において、５つの第３中継端子４００の上方位置に取り付けられる。この際、回路基板６００は、前端部が載置リブ７８０に載せられ、後端部が５つの載置部７３７に載せられる。回路基板６００の２つの取付孔６０４が載置リブ７８０の２つのナット７８２のネジ孔に整合し、各取付孔６０４を通されたネジ９３０がナット７８２に止められる。これにより、回路基板６００が載置リブ７８０に固定される。第１中継端子２００の基板接続部２２０、第２中継端子３００の基板接続部３２０および５つの第３中継端子４００の基板接続部４２０が、それぞれ、回路基板６００の第１スルーホール６０１、第２スルーホール６０２および５つの第３スルーホール６０３に通され、半田付けによって、これらスルーホール６０１、６０２、６０３に電気的に接続され且つ回路基板６００に固定される。
【００７８】
このように、本実施の形態では、ケース本体７００内において、ほぼ平板状である５つの第３中継端子４００と回路基板６００とが、それぞれの厚み方向であってケース本体７００の深さ（高さ）方向（底面部７１１と開口部７１０ａとの並び方向）に重ねられるので、これら構成部品のための配置スペースを小さくでき、ケース本体７００をコンパクトにできる。
【００７９】
また、上記のように、第１中継端子２００、第２中継端子３００および第３中継端子４００に基板接続部２２０、３２０、４２０が設けられ、これら基板接続部２２０、３２０、４２０が回路基板６００に接続される。従来のように正極リード端子１３０および負極リード端子１４０が回路基板６００に接続される場合、蓄電モジュール１が振動することにより回路基板６００が変形したときに、これらリード端子１３０、１４０が、回路基板６００との接続部分で破断することが懸念された。この点、基板接続部２２０、３２０、４２０は、正極リード端子１３０および負極リード端子１４０よりも断面積が大きく強固であるため、蓄電モジュール１が振動することにより回路基板６００が変形したときに破断しにくい。
【００８０】
こうして、回路基板６００が、第１中継端子２００、第２中継端子３００および第３中継端子４００を介して６つの蓄電デバイス１００と電気的に接続される。
【００８１】
最後に、カバー装着工程が行われる（Ｓ４）。カバー装着工程では、最初にケース本体７００の壁部７９１に裏面カバー８５０が装着され、その後、ケース本体７００の縁部７１０ｂにカバー８００が装着される。
【００８２】
まず、図１４（ａ）に示すように、壁部７９１の先端部の接着代７９４にシーリング性の高い接着剤Ａ３が塗布される。接着剤Ａ３は、シリコーン系材料からなり、常温で空気に触れると硬化して弾性を有するようになる。
【００８３】
次に、接着剤Ａ３が塗布された壁部７９１に、６つの貫通孔７９０を覆うようにして、裏面カバー８５０が取り付けられる。裏面カバー８５０の４つの取付孔８５６が壁部７９１の４つのボス７９２のナット７９３のネジ孔に整合する。各取付孔８５６に通されたネジ９５０が各ナット７９３に止められる。これにより、裏面カバー８５０が壁部７９１に固定される。また、裏面カバー８５０と壁部７９１とは、接着剤Ａ３による接着によっても固定される。裏面カバー８５０と壁部７９１の先端部との間が接着剤Ａ３によって封止される。こうして、図２に示すように、６つの貫通孔７９０が、壁部７９１と裏面カバー８５０とによって、ケース本体７００の底面部７１１の外側から塞がれる。
【００８４】
次に、ケース本体７００の縁部７１０ｂの接着代７１９に接着剤Ａ２が塗布される。接着剤Ａ２は、接着剤Ａ３と同じ接着剤である。その後、図１に示すように、接着剤Ａ２が塗布されたケース本体７００の縁部７１０ｂにカバー８００が取り付けられる。この際、カバー８００の挿入孔８０７にケース本体７００の突起７１８が挿入されるように、カバー８００がケース本体７００に被せられる。カバー８００がケース本体７００に位置決めされて、カバー８００の８つの取付孔８０６がケース本体７００の８つのボス７１６のナット７１７のネジ孔に整合する。各取付孔８０６に通されたネジ９４０が各ナット７１７に止められる。これにより、カバー８００がケース本体７００に固定される。また、カバー８００とケース本体７００とは、接着剤Ａ２による接着によっても固定される。カバー８００とケース本体７００との間が接着剤Ａ２によって封止される。こうして、ケース本体７００の開口部７１０ａが、カバー８００によって塞がれる。ケース１０内では、カバー８００の裏面の５つの突起８１０が、回路基板６００の後端部の表面に当接する。これにより、回路基板６００の後端部は、５つの載置部７３７と突起８１０とにより上下から挟まれ、上下方向に固定される。
【００８５】
開口部７１０ａがカバー８００で塞がれ、６つの貫通孔７９０が壁部７９１および裏面カバー８５０で塞がれることにより、ケース１０の内部が密閉された状態となる。即ち、６つの蓄電デバイス１００は、外部から閉鎖された状態でケース１０に収容されることになる。ケース１０の内部の圧力は、調圧弁ＣＶによって外部と同じになるよう調整される。
【００８６】
このようにして、蓄電モジュール１が完成する。
【００８７】
蓄電モジュール１は、たとえば、電気自動車やハイブリット自動車の補助電源として利用され得る。この場合、蓄電モジュール１は、図１に示すように、車体に設けられる所定の設置部２に取り付けられる。この際、ケース１０の２つの固定部７２０が設置部２の設置面２ａに、たとえば、ボルト３で固定される。ボルト３は、固定部７２０の取付孔７２２を通され、設置部２のネジ孔（図示せず）に止められる。蓄電モジュール１の２つの外部接続端子５００の接続面５０１ａに、それぞれに対応する車体側の外部端子（図示せず）がネジ止めにより固定される。
【００８８】
車体には、自働車の走行時などに振動が生じ得る。車体に振動が生じた場合、車体の設置部２に取り付けられた蓄電モジュール１が振動する。このとき、蓄電モジュール１は、ケース本体７００の本体部７１０が、その前側面部７１２および後側面部７１３に設けられた固定部７２０により設置部２に固定されているので、本体部７１０が、前後方向において、振動に合わせて上下に撓みにくくなる。本体部７１０に収容された６つの蓄電デバイス１００は、その端面（封口体１２０）から正極リード端子１３０および負極リード端子１４０が突き出る方向が前後方向となる。このため、正極リード端子１３０および負極リード端子１４０が上下に撓みにくくなり、正極リード端子１３０および負極リード端子１４０と第１中継端子２００、第２中継端子３００および第３中継端子４００の端子接続部２１０、３１０、４１０との接続部分（溶接部分）に亀裂、剥離等が生じにくくなる。
【００８９】
また、蓄電モジュール１の周囲で結露などが生じたときに、結露により生じた水が蓄電モジュール１に掛かることが想定され得る。しかしながら、蓄電モジュール１は、蓄電デバイス１００が外部から閉鎖（密閉）されたケース１０内に収容されている構成であるため、蓄電デバイス１００が水に接触して濡れてしまう、ということが生じにくい。
【００９０】
＜実施の形態の効果＞
以上、本実施の形態によれば、以下の効果を奏することができる。
【００９１】
ケース１０には、本体部７１０における正極リード端子１３０および負極リード端子１４０が突き出る方向（前後方向）の両側面である前側面部７１２および後側面部７１３に、蓄電モジュール１を設置部２に取り付けるための固定部７２０が設けられている。これにより、蓄電モジュール１が振動したときに、正極リード端子１３０および負極リード端子１４０が突き出る方向において、本体部７１０が振動に合わせて上下に撓みにくくなり、正極リード端子１３０および負極リード端子１４０が上下に撓みにくくなる。よって、正極リード端子１３０および負極リード端子１４０と第１中継端子２００、第２中継端子３００および第３中継端子４００の端子接続部２１０、３１０、４１０との接続部分に亀裂、剥離等が生じにくくなる。
【００９２】
このように、蓄電モジュール１は、リード端子１３０、１４０に関する耐震性が高まるため、ケース１０全体の剛性を高める必要性が少なくなり、ケース１０の軽薄化が図られやすくなる。
【００９３】
特に、正極リード端子１３０および負極リード端子１４０は、その径が小さいため、上下に撓んだときに接続部分の近傍で破断しやすい。この点、本実施の形態では、正極リード端子１３０および負極リード端子１４０が上下に撓みにくくなることで、それらの破断も生じにくくなる。
【００９４】
また、固定部７２０は、本体部７１０と一体形成されているので、本体部７１０と固定部７２０との間にガタツキが生じる虞がなく、正極リード端子１３０および負極リード端子１４０が突き出る方向において、本体部７１０をしっかりと固定できる。
【００９５】
さらに、固定部７２０は、本体部７１０の前側面部７１２と後側面部７１３に１つずつ設けられているので、ケース１０を設置部２に固定する作業を少なくすることができる。しかも、それぞれの固定部７２０の取付孔７２２が、６つの蓄電デバイス１００の並びの中心Ｏに位置するので、６つの蓄電デバイス１００が並ぶ範囲において、固定部７２０を介して本体部７１０が固定される力に偏りが生じにくくなる。これにより、６つの蓄電デバイス１００において、正極リード端子１３０および負極リード端子１４０の上下の撓みを良好に抑制でき、接続部分での亀裂、剥離等を良好に抑制できる。
【００９６】
さらに、６つの蓄電デバイス１００が並ぶ方向（左右方向）において、固定部７２０が存在する範囲（幅Ｗ１）が、６つの蓄電デバイス１００が存在する範囲（幅Ｗ２）以上とされている。これにより、６つの蓄電デバイス１００が存在する範囲に対応する前側面部７１２および後側面部７１３の範囲が固定部７２０を介して設置部２にしっかりと固定されるので、６つの蓄電デバイス１００において、正極リード端子１３０および負極リード端子１４０の上下の撓みを良好に抑制でき、接続部分での亀裂、剥離等を良好に抑制できる。
【００９７】
さらに、固定部７２０は、本体部７１０の前側面部７１２（後側面部７１３）から離れるに従って幅が小さくなる三角形状を有するので、固定部７２０の根元部分で本体部７１０を設置部２にしっかりと固定できつつ固定部７２０全体の体積を小さくでき、その分、ケース１０を小さくでき、ケース１０の材料を削減できる。
【００９８】
さらに、蓄電モジュール１は、複数の蓄電デバイス１００が並べられた状態で収容されるケース１０と、ケース１０内に収容され、複数の蓄電デバイス１００のそれぞれの端面から突き出るリード端子１３０、１４０が接続される中継端子２００、３００、４００と、を備える。ケース１０は、底面部７１１と、当該底面部７１１と対向し、複数の蓄電デバイス１００がケース１０内に収容される際に通される開口部７１０ａと、を有し、底面部７１１には、当該底面部７１１を貫通する貫通孔７９０が、当該貫通孔７９０を通してリード端子１３０、１４０と中継端子２００、３００、４００との接続部分Ｃがケース１０の外部から見える位置に設けられる。また、中継端子２００、３００、４００は、底面部７１１に配置され、中継端子２００、３００、４００の表面２１０ａ、３１０ａ、４１０ａにリード端子１３０、１４０が重なって、その重なり部分が接続部分Ｃを構成し、この接続部分Ｃが溶接される。
【００９９】
この構成によれば、蓄電モジュール１が組み立てられる際に、開口部７１０ａから通された第１電極プローブＥ１と貫通孔７９０から通された第２電極プローブＥ２とを接続部分Ｃを挟んで対向させ、第１電極プローブＥ１と第２電極プローブＥ２とを用いて接続部分Ｃを溶接できる。よって、複数の蓄電デバイス１００と中継端子２００、３００、４００とがケース１０内に配置された状態において、リード端子１３０、１４０と中継端子２００、３００、４００との接続部分Ｃを円滑に溶接することができる。
【０１００】
さらに、ケース１０は、開口部７１０ａを塞ぐ第１閉塞部として、開口部７１０ａを囲む縁部７１０ｂに装着されるカバー８００を含み、貫通孔７９０を塞ぐ第２閉塞部として、貫通孔７９０を囲むように底面部７１１の外面に設けられた壁部７９１と当該壁部７９１の先端部に装着される裏面カバー８５０とを含む。
【０１０１】
この構成によれば、開口部７１０ａおよび貫通孔７９０が閉塞されることによりケース１０内を外部から閉鎖された状態にできるので、蓄電モジュール１の周囲で結露等が生じても、それにより生じた水がケース１０内に浸入しにくくなり、ケース１０内に収容された複数の蓄電デバイス１００や他の構成部品を水から保護できる。
【０１０２】
さらに、カバー８００と縁部７１０ｂとの間が接着剤Ａ２により封止され、裏面カバー８５０と壁部７９１の先端部との間が接着剤Ａ３により封止される。
【０１０３】
この構成によれば、カバー８００と縁部７１０ｂとの間および裏面カバー８５０と壁部７９１の先端部との間からのケース１０内への水の侵入を防止できる。
【０１０４】
さらに、中継端子２００、３００、４００は、リード端子１３０、１４０が突き出る方向に沿ってリード端子１３０、１４０側に延伸する端子接続部２１０、３１０、４１０を有し、端子接続部２１０、３１０、４１０とリード端子１３０、１４０とが重なり合って接続部分Ｃが構成される。
【０１０５】
この構成によれば、接続部分Ｃを長くすることができるので、溶接しろが十分にとれ、溶接による接続強度を高められる。
【０１０６】
さらに、蓄電モジュール１は、中継端子２００、３００、４００を介して複数の蓄電デバイス１００と電気的に接続される回路基板６００を備える。回路基板６００は、底面部７１１と開口部７１０ａとの並び方向に中継端子２００、３００、４００と重なるようにケース１０内に配置される。中継端子２００、３００、４００は、並び方向に突出する基板接続部２２０、３２０、４２０を有し、基板接続部２２０、３２０、４２０が回路基板６００のスルーホール６０１、６０２、６０３に挿入されて電気的に接続され且つ固定される。
【０１０７】
この構成によれば、ケース１０をコンパクトにできる。
【０１０８】
さらに、蓄電モジュール１は、ケース１０に設けられ、ケース１０の内部と外部とが繋がる連通口７７０ａと、連通口７７０ａに挿入され、一端側がケース１０の内部において中継端子２００、３００に電気的に接続され、他端側がケース１０の外部に露出して外部端子に接続される外部接続端子５００と、外部接続端子５００の外面と連通口７７０ａの内面との間に介在するＯリング５１０とを備える。外部接続端子５００は、互いに極性が異なる第１外部接続端子５００ａおよび第２外部接続端子５００ｂを含み、第１外部接続端子５００ａが挿入される連通口７７０ａと第２外部接続端子５００ｂが挿入される連通口７７０ａとが、それぞれ、ケース１０の互いに対向する左側面部７１４と右側面部７１５に設けられる。
【０１０９】
この構成によれば、外部接続端子５００（第１外部接続端子５００ａ、第２外部接続端子５００ｂ）と連通口７７０ａとの間からのケース１０内への水の侵入を防止できる。
【０１１０】
さらに、外部接続端子５００には、一端側に板状の連結端子部５０２が形成され、中継端子２００、３００と連結端子部５０２とが互いの厚み方向に重ね合されてネジ９２０により連結される。
【０１１１】
この構成によれば、平板状の連結端子部５０２が同じく平板状である中継端子２００、３００に連結されるので、外部接続端子５００を中継端子２００、３００に良好に連結することができる。
【０１１２】
さらに、外部接続端子５００には、他端側に、ケース１０の外面と平行な、外部端子が接続される接続面５０１ａが形成され、接続面５０１ａがケース１０の外面よりも突出する。
【０１１３】
接続面５０１ａがケース１０の外面よりも凹んでいる場合、外部端子が接続面５０１ａに外面側からネジ等で接続されたときに、外部端子は外面に接触するため、外部接続端子５００に外側に引っ張られるような力が加わりやすい。
【０１１４】
この点、接続面５０１ａがケース１０の外面よりも突出するような構成とされれば、外部端子が接続面５０１ａに外面側からネジ等で接続されたときに、外部接続端子５００に外側に引っ張られるような力が加わりにくく、このような力による外部接続端子５００等の破損を懸念しなくてよい。
【０１１５】
以上、本発明の実施の形態について説明したが、本発明は、上記実施の形態に限定されるものではなく、また、本発明の適用例も、上記実施の形態の他に、種々の変更が可能である。
【０１１６】
＜変更例１＞
図１５（ａ）および（ｂ）は、それぞれ、変更例１に係る、裏面カバー８５０Ａが装着される前と装着された後の６つの貫通孔７９０の周辺部分が示された蓄電モジュール１の要部の底面図である。なお、図１５（ａ）では、便宜上、接着剤Ａ３にハッチングが施されている。
【０１１７】
上記実施の形態では、ケース本体７００において、６つの貫通孔７９０が壁部７９１と裏面カバー８５０とにより塞がれた。
【０１１８】
これに対し、本変更例のケース本体７００Ａでは、壁部７９１が設けられず、底面部７１１の外面に、６つの貫通孔７９０を囲むように、周囲の面よりも僅かに凹む接着代７９５が設けられ、この接着代７９５に接着剤Ａ３が塗布される。そして、６つの貫通孔７９０を覆うように、底面部７１１の外面に裏面カバー８５０Ａが装着される。裏面カバー８５０Ａは、接着剤Ａ３により底面部７１１の外面に固定される。また、裏面カバー８５０Ａと底面部７１１の外面との間が接着剤Ａ３によって封止される。なお、上記実施の形態と同様、裏面カバー８５０Ａが、接着剤Ａ３とともにネジにより固定されてもよい。
【０１１９】
本変更例の構成によれば、上記実施の形態と同様、貫通孔７９０からのケース１０内への水の侵入を防止できる。
【０１２０】
なお、本変更例では、裏面カバー８５０Ａが、請求の範囲に記載の「第２閉塞部」および「第２蓋」に対応する。
【０１２１】
＜その他の変更例＞
上記実施の形態では、固定部７２０が三角形状（二等辺三角形状）に形成された。しかしながら、固定部７２０は、上記と異なる形状に形成されてもよい。たとえば、図１６（ａ）に示すように、固定部７２０が円弧状に形成されてもよい。また、図１６（ｂ）に示すように、固定部７２０が方形状に形成されてもよい。固定部７２０が円弧状に形成された場合は、固定部７２０が三角形状に形成された場合より効果は小さいものの、固定部７２０の根元部分で本体部７１０を設置部２にしっかりと固定できつつ固定部７２０全体の体積を小さくできる。なお、図１６（ａ）および（ｂ）では、固定部７２０が模式的に示されている。
【０１２２】
また、上記実施の形態では、本体部７１０の前側面部７１２と後側面部７１３とに１つずつ固定部７２０が設けられた。しかしながら、図１６（ｃ）に示すように、前側面部７１２と後側面部７１３とに、複数個ずつ、たとえば２つずつ固定部７２０が設けられてもよい。なお、図１６（ｃ）では、固定部７２０が模式的に示されている。
【０１２３】
さらに、上記実施の形態では、６つの蓄電デバイス１００が並ぶ方向（左右方向）において、固定部７２０が存在する範囲（幅Ｗ１）が、６つの蓄電デバイス１００が存在する範囲（幅Ｗ２）以上とされた。しかしながらが、固定部７２０が存在する範囲が、６つの蓄電デバイス１００が存在する範囲未満とされてもよい。
【０１２４】
さらに、上記実施の形態では、固定部７２０の取付孔７２２にカラー７２３が設けられた。しかしながら、固定部７２０の取付孔７２２にナットが設けられてもよい。
【０１２５】
さらに、上記実施の形態では、固定部７２０が本体部７１０と一体形成された。しかしながら、固定部７２０が本体部７１０と別体に形成され、本体部７１０に取り付けられる構成とされてもよい。この場合、固定部７２０は、本体部７１０と異なる材質、たとえば、金属製とすることができる。なお、固定部７２０が、本体部７１０と別体に形成された場合、特に、固定部７２０が金属板により形成される場合、固定部７２０がブラケットと称されることがある。この場合、ケース１０に、本体部７１０とブラケットとが含まれることになる。
【０１２６】
さらに、上記実施の形態では、蓄電デバイス１００のリード端子１３０、１４０と中継端子２００、３００、４００との接続部分Ｃがプロジェクション溶接により接続固定された。しかしながら、開口部７１０ａから通される第１溶接部材と貫通孔７９０から通される第２溶接部材とを用いて溶接が行われるのであれば、プロジェクション溶接以外の溶接により接続部分Ｃが接続固定されてもよい。
【０１２７】
さらに、上記実施の形態では、底面部７１１に、１２個の接続部分Ｃに対して６つの貫通孔７９０が設けられた。即ち、１つの貫通孔７９０が２個の接続部分Ｃに対応した。しかしながら、１つの貫通孔７９０が対応する接続部分Ｃの個数は、上記の個数に限られない。たとえば、４個の接続部分Ｃに１つの貫通孔７９０が対応するよう、底面部７１１に３つの貫通孔７９０が設けられてもよいし、１２個の接続部分Ｃに１つの貫通孔７９０が対応するよう、底面部７１１に１つの貫通孔７９０が設けられてもよい。
【０１２８】
さらに、上記実施の形態では、縁部７１０ｂとカバー８００との間が接着剤Ａ２により封止され、壁部７９１の先端部と裏面カバー８５０との間が接着剤Ａ３により封止された。しかしながら、これに限らず、接着剤Ａ２、Ａ３に替えて、ガスケット、パッキン等の他のシール部材が用いられてもよい。
【０１２９】
さらに、上記実施の形態では、外部接続端子５００と連通口７７０ａとの間の水封にＯリング５１０が用いられた。しかしながら、他のシール部材、たとえば、環状のパッキンが用いられてもよい。
【０１３０】
さらに、上記実施の形態では、外部接続端子５００の連結端子部５０２の上に中継端子２００、３００の第２固定部２４０、３４０が重ねられた。しかしながら、これとは逆に、外部接続端子５００の連結端子部５０２の下に中継端子２００、３００の第２固定部２４０、３４０が重ねられてもよい。
【０１３１】
さらに、上記実施の形態では、蓄電デバイス１００は、その端面１００ａからリード端子１３０、１４０（正極リード端子１３０、負極リード端子１４０）が突き出るような構成とされた。しかしながら、蓄電デバイス１００は、その端面１００ａからリード端子１３０、１４０以外の端子部、たとえば、リード端子１３０、１４０よりも短くて径が大きな端子部が突き出るような構成とされてもよい。
【０１３２】
さらに、上記実施の形態では、蓄電モジュール１に６つの蓄電デバイス１００が用いられたが、これに限られることなく、その他の個数の蓄電デバイス１００が蓄電モジュール１に用いられてもよい。また、蓄電モジュール１は、これら複数個の蓄電デバイス１００が、直列接続されるのではなく、並列接続される構成であってもよい。
【０１３３】
この他、本発明の実施の形態は、請求の範囲に示された技術的思想の範囲内において、適宜、種々の変更が可能である。
【０１３４】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【０１３５】
本発明は、各種電子機器、電気機器、産業機器、車両の電装等に使用される蓄電モジュールに有用である。
【符号の説明】
【０１３６】
１  蓄電モジュール
２  設置部
１０  ケース
１００  蓄電デバイス
１００ａ  端面（第１端面）
１００ｂ  端面（第２端面）
１３０  正極リード端子（端子部、第１端子部）
１４０  負極リード端子（端子部、第２端子部）
２００  第１中継端子（バスバー）
２１０  端子接続部（延伸部）
２１０ａ  表面（第２の面）
２１０ｂ  裏面（第１の面）
２２０  基板接続部（突出部）
３００  第２中継端子（バスバー）
３１０  端子接続部（延伸部）
３１０ａ  表面（第２の面）
３１０ｂ  裏面（第１の面）
３２０  基板接続部（突出部）
４００  第３中継端子（バスバー）
４１０  端子接続部（延伸部）
４１０ａ  表面（第２の面）
４１０ｂ  裏面（第１の面）
４２０  基板接続部（突出部）
５００  外部接続端子
５００ａ  第１外部接続端子
５００ｂ  第２外部接続端子
５０１ａ  接続面
５０２  連結端子部
５１０  Ｏリング（シール部材）
６００  回路基板
６０１  スルーホール（孔部）
６０２  スルーホール（孔部）
６０３  スルーホール（孔部）
７００  ケース本体
７００Ａ  ケース本体
７１０  本体部
７１０ａ  開口部
７１０ｂ  縁部
７１１  底面部
７１４  左側面部（側面部）
７１５  右側面部（側面部）
７２０  固定部
７２２  取付孔（取付部）
７７０ａ  連通口
７９０  貫通孔
７９１  壁部（第２閉塞部）
８００  カバー（第１閉塞部、第１蓋）
８５０  裏面カバー（第２閉塞部、第２蓋）
８５０Ａ  裏面カバー（第２閉塞部、第２蓋）
９２０  ネジ（連結部材）
Ａ２  接着剤（第１封止部）
Ａ３  接着剤（第２封止部）
Ｃ  接続部分
Ｅ１  第１電極プローブ（第１電極部材）
Ｅ２  第２電極プローブ（第２電極部材）
【図１】
2020121872.tif 000003
【図２】
2020121872.tif 000004
【図３】
2020121872.tif 000005
【図４】
2020121872.tif 000006
【図５】
2020121872.tif 000007
【図６】
2020121872.tif 000008
【図７】
2020121872.tif 000009
【図８】
2020121872.tif 000010
【図９】
2020121872.tif 000011
【図１０】
2020121872.tif 000012
【図１１】
2020121872.tif 000013
【図１２】
2020121872.tif 000014
【図１３】
2020121872.tif 000015
【図１４】
2020121872.tif 000016
【図１５】
2020121872.tif 000017
【図１６】
2020121872.tif 000018
【国際調査報告】
2020121872.tif 000019
2020121872.tif 000020
2020121872.tif 000021
2020121872.tif 000022
2020121872.tif 000023
2020121872.tif 000024